(57)【特許請求の範囲】
【請求項１】
投入ホッパ（１２）が受けた籾または玄米のうち、籾の場合には籾摺処理し、玄米の場合にはそのまま通過させる籾摺機（１４）と、玄米タンク（１６ｔ）を介して籾摺機（１４）から受けた玄米を受入れて精白処理する精米機（１６）と、これら機器の稼働を制御する制御部とを備える籾摺精米設備において、
上記投入ホッパ（１２）に受けた籾または玄米について、その何れか該当種別を識別する米種識別手段（１２ｄ）を設け、その米種識別結果が籾である場合に玄米より遅いタイミングで精米機（１６）を起動するように上記制御部を構成すると共に、
上記玄米タンク（１６ｔ）には、その受入れ玄米の有無を検出する受入検出手段（１６ｂ）を設け、精米機（１６）による処理途中に玄米タンク（１６ｔ）の玄米の受入量がゼロとなったことを検出した場合に、次回の精米機（１６）の起動タイミングを遅くするように上記制御部の設定を変更することを特徴とする籾摺精米設備。
【発明の詳細な説明】
【技術分野】
【０００１】
本発明は、籾摺機および精米機を備えて料金分の籾または玄米について籾摺精米処理を全自動で処理する籾摺精米設備に関するものである。
【背景技術】
【０００２】
籾摺精米設備は、一例として特許文献１に示されるように、籾摺機および精米機を備えて構成され、投入された籾または玄米について料金分の籾摺精米処理を全自動で処理するものである。詳細には、この籾摺精米設備は、籾摺機、精米機および関連機器を中心に、籾または玄米を投入するための投入ホッパおよび精米処理された精白米を取出すための白米タンクを備えて構成され、一連の処理が制御部によって自動運転制御される。
【０００３】
利用者は、籾または玄米を投入ホッパに投入し、次いで必要な金額のコインを投入することにより、投入ホッパの繰出装置が所定時間の稼動によって課金単位分の穀粒を取込んで籾摺精米処理し、投入金額の範囲でこれを繰り返すことにより、投入穀粒を籾摺精米して白米タンクから受取ることができる。
【０００４】
また、上記籾摺精米設備は、投入ホッパから取り込む穀粒量を調節するために可変速モータ制御を行うことにより、籾摺工程で籾殻が落とされて精米機に供給される玄米量の減少を補い、籾投入の場合を含めて一定精度の精白処理を確保することができる。
【特許文献１】特開平１０−３０５２３３号公報
【発明の開示】
【発明が解決しようとする課題】
【０００５】
しかしながら、上記籾摺精米設備は、投入米種によることなく一定精度の精白処理を確保するために、可変速モータ制御による高コストの設備負担が避けられないという問題があった。
【０００６】
本発明の目的は、装置構成の複雑化や負担コストの増加を招くことなく、籾と玄米について共に一定の精白処理を確保することができる籾摺精米設備を提供することにある。
【課題を解決するための手段】
【０００７】
請求項１に係る発明は、投入ホッパ（１２）が受けた籾または玄米のうち、籾の場合には籾摺処理し、玄米の場合にはそのまま通過させる籾摺機（１４）と、玄米タンク（１６ｔ）を介して籾摺機（１４）から受けた玄米を受入れて精白処理する精米機（１６）と、これら機器の稼働を制御する制御部とを備える籾摺精米設備において、上記投入ホッパ（１２）に受けた籾または玄米について、その何れか該当種別を識別する米種識別手段（１２ｄ）を設け、その米種識別結果が籾である場合に玄米より遅いタイミングで精米機（１６）を起動するように上記制御部を構成すると共に、上記玄米タンク（１６ｔ）には、その受入れ玄米の有無を検出する受入検出手段（１６ｂ）を設け、精米機（１６）による処理途中に玄米タンク（１６ｔ）の玄米の受入量がゼロとなったことを検出した場合に、次回の精米機（１６）の起動タイミングを遅くするように上記制御部の設定を変更することを特徴とする。
【０００８】
玄米投入時と籾投入時について、籾投入の場合に限り精米機の起動タイミングを遅らせることによって精米開始時の玄米量が増加することから、籾摺りによる減量分を補って適正な精米処理が可能となる。また、精米途中に玄米量不足となった場合について精米機の起動タイミングを遅くするように設定変更することにより、次回の籾摺精米設備の稼動の際は、精米開始時の玄米量が増加して適正な精米処理が可能となる。
【発明の効果】
【０００９】
請求項１の籾摺精米設備は、籾投入の場合に限り精米機の起動タイミングを玄米投入の場合より遅らせることにより、籾投入に合わせた適正な精米処理が可能となるので、このような起動タイミング調節という簡易な方法により、装置構成の複雑化やコスト増加を招くことなく、籾と玄米について共に一定精度の精白処理を確保することができる。また、精米途中に玄米量不足となった場合に精米機の起動タイミングを遅らせるように設定変更することにより、次回の設備稼動の際の精米処理を適正化することができるので、精米機の起動タイミングの設定変更という簡易な方法により、特段のメンテナンス管理等を要することなく、稲の生育度等の地域事情に対応した精米処理の自動調節が可能となる。
【発明を実施するための最良の形態】
【００１０】
上記技術思想に基づいて具体的に構成された実施の形態について以下に図面を参照しつつ説明する。
籾摺精米設備は、その一構成例についてのシステム展開図を図１に示すように、投入された穀粒を受ける投入ホッパ１２と穀粒の取出が可能な白米タンク１３が客室に臨んで設けられるほか、上記投入ホッパ１２から搬送手段（搬送螺旋）１２ａによって取込んだ穀粒を上位排出する第１昇降機１４ｅと、この第１昇降機１４ｅから受けた穀粒を籾摺ロール１４ａによって籾摺りする籾摺機１４と、この籾摺機１４から受けた穀粒中の異物を振動選別するために選米出口１５ｂと残米出口１５ｃを前後端に配置した異物選別機１５と、その選米出口１５ｂから受けた穀粒を上位排出する第２昇降機１６ｅと、この第２昇降機１６ｅから玄米タンク１６ｔに受けた穀粒を精米して上記白米タンク１３に供給する精米機１６と、これらを統括制御する制御部等から構成される。
【００１１】
投入ホッパ１２には、穀粒投入を検出する穀粒センサ１２ｂおよび投入穀粒が籾か玄米かを判別する判別手段として米種センサ１２ｄを設ける。玄米の場合は、籾摺機１４は、籾摺ロール１４ａの間隙を開いて籾摺作用なしに玄米をそのまま通過する。玄米タンク１６ｔには、オーバーフローを検出する玄米タンク満量センサ１６ｆおよび玄米の有無を検出する玄米タンク下限センサ１６ｂを設け、これらセンサの検出信号に応じて制御部が後述のように機器の稼働を制御する。精米機１６は、その排出口側に備える図示しない圧迫板を制御部の制御指令により移動調節して精白度制御可能に構成する。
【００１２】
また、精米機１６は切換制御可能な排出路１６ａを介して白米タンク１３と接続し、その切換弁１６ｊにより精米機充填初期の搗精圧が上がるまでの初期精白処理米を貯留するチャージタンク１６ｃを設け、この初期精白処理米は全玄米の精米終了間際に第２昇降機１６ｅを介して精米機１６に追加供給することにより全玄米を精白処理する。
【００１３】
還元用切換弁１４ｐは、投入ホッパ１２内に少量の穀粒が料金不足等で残留した際に第１昇降機１４ｅから還元通路１４ｑを経て投入ホッパ１２の上方の還元口１４ｒに排出するための切換部である。異物選別機１５の残米出口１５ｃは、玄米が尽きたときに、第１昇降機１４ｅから残米送路１４ｇと第２昇降機１６ｅによって精米機１６に送られて全量が精米処理される。
【００１４】
籾摺精米設備の具体的な構成は、その機器配置図を図２に示すように、矩形の建屋１内に機械室２とその前側の操作スペースとしての客室３とを仕切壁１１で仕切る。本実施の形態では客室３側を前、機械室２側を後ろとする。
【００１５】
機械室２には、仕切壁１１の後方に突出する投入ホッパ１２から第１昇降機１４ｅを介してその側方に籾摺機１４を配置し、その下方で投入ホッパ１２の横位置に石抜等の異物選別機１５を奥側に向けて配置する。この異物選別機１５の側方に第２昇降機１６ｅを配置し、この第２昇降機１６ｅに選米出口１５ｂおよび残米送路１４ｇとともに精米機１６の排出路１６ａを集合連通して循環精米する。そのほか、機械室２後部には、精米機１６から接続する糠吸引部１６ｆを介して糠袋１６ｂを配置し、また、客室３側まで移送ダクト１６ｄを分岐する。
【００１６】
客室３側は、図３の仕切壁の客室側正面図に示すように、籾投入用の投入ホッパ１２と白米取出し用の白米タンク１３を客室３に臨んで配置し、また、仕切壁１１には精米処理の精白度の指定や料金投入のための操作部（操作盤）１１ａを設ける。白米タンク１３下部に設けた取出部には小袋対応のために引出式の中段受台１３ｂを組み込んで構成する。その側方には、上記移送ダクト１６ｄの先端を客室３に臨む糠取出部１６ｐに開口する。操作盤１１ａまたは金庫ボックスは、投入ホッパ１２、第１昇降機１４ｅ、異物選別機１５のメンテナンスのためにメンテナンス扉として構成する。
【００１７】
上記構成の籾摺精米設備の運転制御は、図４の見取図に示す操作部１１ａに従い、投入コインがコイン処理部１１ｂで処理され、餅利用時は餅ボタン１１ｃを押し、「上白」「標準」「８ぶ」の中から好みの白度を選択する白度ボタン１１ｄにより対応の精米処理が設定されて籾摺精米設備が起動される。
【００１８】
籾摺精米設備が起動されると、投入ホッパ１２内に籾が投入された場合は、第１昇降機１４ｅから籾摺機１４、異物選別機１５にて籾摺と異物選別処理がなされる。玄米が投入された場合は、米種センサ１２ｄの判別により、籾摺ロール１４ａを開いた籾摺機１４をそのまま通過して異物選別機１５に入る。玄米は、さらに、第２昇降機１６ｅから精米機１６により精米処理されて白米タンク１３から取出し可能となる。
【００１９】
上記精米工程の制御は、所定量の玄米が玄米タンク１６ｔに貯留されるまで待機した上で精米機１６を起動し、また、チャージタンク１６ｃには初期精米による処理米を一時貯留し、精米処理が終了に近づいた時点においてその初期精白処理米を含めて所定時間の循環精米処理を経た後に白米タンク１３に全量を排出する。
【００２０】
（精米機起動制御）
上記精米機１６の起動待機時間については、その搗精部に充填される玄米量が玄米タンク１６ｔに貯留されるまでの時間とし、この待機時間を投入米種により切換える。すなわち、投入ホッパ１２に受けた籾または玄米について、その何れか該当種別を識別する米種センサ１２ｄによる米種識別手段を使用し、その米種識別結果が籾の場合に玄米より遅いタイミングで精米機１６を起動するように、籾摺りによる減量分を補うための長い待機時間を適用する。
【００２１】
このように、籾投入の場合に限り玄米投入より精米機１６の起動タイミングを遅らせることによって精米開始時の玄米量が増加することから、籾摺りによる減量分を補って適正な精米処理が可能となる。したがって、籾投入に合わせた適正な精米処理が可能となるので、このような起動タイミング調節という簡易な方法により、装置構成の複雑化やコスト増加を招くことなく、籾と玄米について共に一定精度の精白処理を確保することができる。
【００２２】
また、玄米タンク１６ｔには、その受入れ玄米の有無を検出する下限センサ１６ｂを受入検出手段として使用し、投入ホッパ１２の穀粒残留下の精米処理途中において玄米受入量がゼロとなった場合に、精米機１６の起動タイミングを遅くするように設定変更を行い、次回からの精米機１６の起動時に適用するように制御部を構成する。
【００２３】
このように、精米途中に玄米量不足となった場合について精米機の起動タイミングを遅くするように設定変更することにより、それ以降の籾摺精米設備の稼動の際は、精米開始時の玄米量が増加して適正な精米処理が可能となる。
【００２４】
したがって、精米機１６の起動タイミングの設定変更という簡易な方法により精米制御の自動調節が可能となることから、籾についての地域事情、すなわち、地域により、コンバインで刈取り脱穀して乾燥機で処理する場合と、刈取機（バインダー）で刈取った稲を天日干してから脱穀する場合等の種々のケースがあり、地域によって籾の性状、かさ（容量）が異なり、このような籾の取扱いや稲の生育度等のそれぞれの地域事情に対応して、特段のメンテナンス管理等を要することなく、適切な精米制御が可能となる。
【００２５】
（稼動累計制御）
また、精米機１６の起動タイミングの制御については、精米機１６の積算使用量すなわち稼働累計時間に応じて変更可能に制御部を構成する。すなわち、精米処理能力が設備新設当初の高能率の期間はその起動タイミングを遅くし、能率が安定する積算使用量に達すると起動タイミングを一定とし、その後の使用により処理能力が落ちてくると起動タイミングを早めるように精米機１６の起動タイミングを変更可能に構成する。このような起動タイミングの変更により、能率変動が顕著な籾処理の場合を含め、精米機１６への米の供給をその処理能力に合わせることができるので、起動タイミングが一定の場合に精米途中で米が途切れるという問題を解消して安定した精米性能を確保することができる。
【００２６】
（終了制御）
籾摺精米設備の運転終了の際は、終了動作または残米排出動作に入った時点で、既に用済みの籾摺機１４を停止するべく制御することにより、籾摺精米設備の収容建物に設けられた負圧防止用開口が経年使用によりその防虫網が埃等で目詰まりした際に、風量が大きい籾摺機の運転で機械室内が負圧となり、糠ファンが機能低下して精白米の糠切れが悪くなる結果として終了動作後に精白米に籾や籾殻が混じりやすくなるという問題が解消され、糠ファンの除糠能力を最大限に生かすとともに、節電上も効果が期待できる。
【図面の簡単な説明】
【００２７】
【図１】籾摺精米設備の一例を示すシステム展開図である。
【図２】籾摺精米設備の機器配置図である。
【図３】仕切壁の客室側正面図である。
【図４】操作部の見取図である。
【符号の説明】
【００２８】
１２  投入ホッパ
１２ｂ  穀粒センサ
１２ｄ  米種センサ
１３  白米タンク
１４  籾摺機
１６  精米機
１６ｂ  下限センサ
１６ｃ  チャージタンク
１６ｔ  玄米タンク
【図１】
0004743003.tif 000002
【図２】
0004743003.tif 000003
【図３】
0004743003.tif 000004
【図４】
0004743003.tif 000005